【手続補正書】
【提出日】平成19年9月19日(2007.9.19)
【手続補正１】
【補正対象書類名】特許請求の範囲
【補正対象項目名】請求項１
【補正方法】変更
【補正の内容】
【請求項１】
遊技機に取り付けられるケース本体部と、該ケース本体部に装着されるケース蓋部とを備え、前記ケース本体部に前記ケース蓋部を装着して形成されるケース内部に基板側コネクタを端部に実装した回路基板を収容し、該回路基板が前記ケース内部に収容されると前記基板側コネクタが前記ケース蓋部に設けられたコネクタ挿抜孔部を介して露出する基板ケースにおいて、
前記ケース蓋部に回動自在に設けられて前記コネクタ挿抜孔部から露出する前記基板側コネクタを覆うコネクタ蓋部を備え、
該コネクタ蓋部は、前記基板側コネクタに挿着されるケーブル側コネクタの挿抜方向に対向する対向部に、前記コネクタ蓋部が閉じられると前記基板側コネクタに挿着されたケーブル側コネクタを囲む囲繞部を有することを特徴とする基板ケース。
【手続補正２】
【補正対象書類名】特許請求の範囲
【補正対象項目名】請求項２
【補正方法】変更
【補正の内容】
【請求項２】
前記コネクタ蓋部は、該コネクタ蓋部の側板に開口して前記囲繞部に連通して前記ケーブル側コネクタ及び該ケーブル側コネクタから延びるケーブルを通す連通部を有し、該連通部は、前記コネクタ蓋部が閉じられた状態で前記基板側コネクタに挿着されたケーブル側コネクタからケーブルが延出する側の該ケーブル側コネクタの端部周辺に開口していることを特徴とする請求項１に記載の基板ケース。
【手続補正３】
【補正対象書類名】明細書
【補正対象項目名】００１０
【補正方法】変更
【補正の内容】
【００１０】
このような課題を解決するため、本発明は、遊技機（例えば、実施形態におけるスロットマシン１）に取り付けられるケース本体部と、該ケース本体部に装着されるケース蓋部とを備え、ケース本体部にケース蓋部を装着して形成されるケース内部に基板側コネクタを端部に実装した回路基板（例えば、実施形態におけるメイン制御基板３３）を収容し、該回路基板がケース内部に収容されると基板側コネクタがケース蓋部に設けられたコネクタ挿抜孔部を介して露出する基板ケースにおいて、ケース蓋部に回動自在に設けられてコネクタ挿抜孔部から露出する基板側コネクタを覆うコネクタ蓋部を備え、該コネクタ蓋部は、基板側コネクタに挿着されるケーブル側コネクタの挿抜方向に対向する対向部（例えば、実施形態における天板部６０ａ）に、コネクタ蓋部が閉じられると基板側コネクタに挿着されたケーブル側コネクタを囲む囲繞部を有することを特徴とする。
【手続補正４】
【補正対象書類名】明細書
【補正対象項目名】００１１
【補正方法】変更
【補正の内容】
【００１１】
この発明によれば、ケース蓋部に基板側コネクタを覆うコネクタ蓋部を回動自在に設け、該コネクタ蓋部は、基板側コネクタに挿着されるケーブル側コネクタの挿抜方向に対向する対向部に、コネクタ蓋部が閉じられると基板側コネクタに挿着されたケーブル側コネクタを囲む囲繞部を有することにより、基板側コネクタにケーブル側コネクタが挿着された状態でコネクタ蓋部が閉じられると、ケーブル側コネクタは囲繞部によって囲まれる。このため、ケーブル側コネクタを基板側コネクタから抜脱しようとすると、ケーブル側コネクタが囲繞部のいずれかの部分に当接して、ケーブル側コネクタの抜脱を規制する。一方、コネクタ蓋部が閉じられた状態で連通部からケーブル側コネクタを挿入してこれを基板側コネクタに挿着しようとしても、囲繞部がケーブル側コネクタの挿入を規制する。つまり、コネクタ蓋部が閉じられた状態では、基板側コネクタからケーブル側コネクタを抜脱したり、基板側コネクタにケーブル側コネクタを挿着したりことが規制される。このため、ケーブル側コネクタの基板側コネクタへの挿抜を防止することができる。
【手続補正５】
【補正対象書類名】明細書
【補正対象項目名】００１２
【補正方法】変更
【補正の内容】
【００１２】
また本発明は、コネクタ蓋部が、該コネクタ蓋部の側板に開口して囲繞部に連通してケーブル側コネクタ及び該ケーブル側コネクタから延びるケーブルを通す連通部を有し、該連通部は、コネクタ蓋部が閉じられた状態で基板側コネクタに挿着されたケーブル側コネクタからケーブルが延出する側の該ケーブル側コネクタの端部周辺に開口していることを特徴とする。
【手続補正６】
【補正対象書類名】明細書
【補正対象項目名】００１３
【補正方法】変更
【補正の内容】
【００１３】
この発明によれば、コネクタ蓋部は、該コネクタ蓋部の側板に開口して囲繞部に連通してケーブル側コネクタ及び該ケーブル側コネクタから延びるケーブルを通す連通部を有し、連通部は、コネクタ蓋部が閉じられた状態で基板側コネクタに挿着されたケーブル側コネクタからケーブルが延出する側のケーブル側コネクタの端部周辺に開口していることにより、ケーブルを無理なく連通部に通して外部に延ばすことができる。このため、コネクタ蓋部の内側にケーブルを無理なく配置することができ、ケーブルの損傷を未然に防止することができる。
【手続補正７】
【補正対象書類名】明細書
【補正対象項目名】００１６
【補正方法】変更
【補正の内容】
【００１６】
本発明によれば、ケース蓋部に基板側コネクタを覆うコネクタ蓋部を回動自在に設け、該コネクタ蓋部は、基板側コネクタに挿着されたケーブル側コネクタを囲む囲繞部と、コネクタ蓋部の側板に開口して囲繞部に連通してケーブル側コネクタ及びこれから延びるケーブルを通す連通部とを有し、コネクタ蓋部を結合手段を介してケース蓋部に固定することにより、ケーブル側コネクタを介して回路基板に接続されるハーネスの不正交換を防止することができる基板ケースを提供することができる。
【手続補正８】
【補正対象書類名】明細書
【補正対象項目名】００３２
【補正方法】変更
【補正の内容】
【００３２】
この側板部６２ｂは、コネクタ蓋部６０の天板部６０ａを超えてコネクタ蓋部６０の裏側に延出して、基板側コネクタに挿着されたケーブル側コネクタ３８を囲む囲繞部６４を形成している。囲繞部６４は先端側に開口部６４ａを形成し、この開口部６４ａは前述した突出部６２の先端側の開口部６２ｃと一体となって１つの連通部６５を形成している。連通部６５の開口部は矩形状であり、ケーブル側コネクタ３８及びこれから延びるハーネスＨを通すことができる大きさを有する。連通部６５は、コネクタ蓋部６０が閉じられた状態で基板側コネクタに挿着されたケーブル側コネクタ３８からハーネスＨが延出する側のケーブル側コネクタ３８の端部周辺に設けられている。
【手続補正９】
【補正対象書類名】明細書
【補正対象項目名】００３３
【補正方法】変更
【補正の内容】
【００３３】
次に、基板ケース４０内に収容されたメイン制御基板３３に実装された基板側コネクタ３７へのケーブル側コネクタ３８の挿抜操作について説明する。先ず、ケーブル側コネクタ３８の挿着操作について説明する。図３（ａ）に示すように、コネクタ蓋部６０を開けた状態にして基板側コネクタ３７を露出させる。そして、ケーブル側コネクタ３８及びこれに繋がるハーネスＨを連通部６５に通して囲繞部６４の外側に移動させる。そして、図３（ｂ）（斜視図）に示すように、ケーブル側コネクタ３８を基板側コネクタ３７に挿着し、コネクタ蓋部６０を閉じる方向（矢印Ａ方向）に回動させる。このとき、ハーネスＨがコネクタ蓋部６０と段部５３との間の空間部内で折れ曲がらないように、連通部６５から延びるハーネスＨを引っ張りながらコネクタ蓋部６０を回動させる。そして、図３（ｃ）（斜視図）に示すように、コネクタ蓋部６０を閉じて、カシメ部材５７によってコネクタ蓋部６０をケーブル蓋部５０に固定する。
【手続補正１０】
【補正対象書類名】明細書
【補正対象項目名】００３５
【補正方法】変更
【補正の内容】
【００３５】
また、基板側コネクタ３７にケーブル側コネクタ３８が挿着されていない状態であってコネクタ蓋部６０がケーブル蓋部５０に固定されているときに、ケーブル側コネクタ３８を基板側コネクタ３７に挿着しようとすると、ケーブル側コネクタ３８を連通部６５に挿入することができるが、ケーブル側コネクタ３８が囲繞部６４や天板部６２ａのいずれかの部分に当接してケーブル側コネクタ３８の挿着が規制される。
【手続補正１１】
【補正対象書類名】明細書
【補正対象項目名】００３７
【補正方法】変更
【補正の内容】
【００３７】
また連通部６５は、コネクタ蓋部６０が閉じられた状態で基板側コネクタ３７に挿着されたケーブル側コネクタ３８からハーネスＨが延出する側の端部周辺に開口しているので、ハ−ネスＨを無理なく連通部６５から外部に延ばすことができる。このため、コネクタ蓋部６０の内側にハーネスＨを無理なく配置することができ、ハーネスＨの損傷を未然に防止することができる。
【手続補正１２】
【補正対象書類名】明細書
【補正対象項目名】００４１
【補正方法】変更
【補正の内容】
【００４１】
また前述した実施例では、連通部６５が矩形状である場合を例にして説明したが、ケーブル側コネクタ３８及びハーネスＨの通過を許容するものであれば、円形、三角形、楕円形等でもよい。
【手続補正１３】
【補正対象書類名】明細書
【補正対象項目名】００４２
【補正方法】変更
【補正の内容】
【００４２】
また、前述した実施例では、基板側コネクタ３７に対するケーブル側コネクタ３８の挿抜方向はメイン制御基板３３に対して略直交する方向であるが、この挿抜方向がメイン制御基板３３に沿う方向になるように基板側コネクタ３７をメイン制御基板３３に実装してケーブル側コネクタ３８を挿着するようにしてもよい。この場合には、連通部６５を天板部６０ａに設ける。
【手続補正１４】
【補正対象書類名】明細書
【補正対象項目名】００４５
【補正方法】変更
【補正の内容】
【００４５】
１  スロットマシン（遊技機）
３３  メイン制御基板（回路基板）
３７  基板側コネクタ
４０  基板ケース
４１  ケース本体部
５０  ケース蓋部
５３ｂ  コネクタ挿抜孔部
５７  カシメ部材（結合手段）
６０  コネクタ蓋部
６０ａ  天板部（対向部）
６４  囲繞部
６５  連通部
Ｈ  ハーネス（ケーブル）